(57)【要約】【課題】  着信種類を報知することができる報知装置、その制御方法、制御プログラム及びこの制御プログラムが記録された記録媒体を提供する。【解決手段】  着信種類報知装置１０が、携帯電話機１００から入力された着信の種類を示す情報に基づいて着信種類特定情報を無線送信する送信ユニット２０と、着信種類特定情報を受信し、この着信種類特定情報に基づいて着信種類を判別し、着信種類を報知する受信ユニット３０とを備えるようにした。【選択図】      図１
2005223889.tif 000002
【特許請求の範囲】
【請求項１】
携帯電話機から入力された着信の種類を示す情報に基づいて、着信種類特定情報を無線送信する送信ユニットと、
前記着信種類特定情報を受信し、この着信種類特定情報に基づいて着信種類を判別し、着信種類を報知する受信ユニットと
を備えることを特徴とする報知装置。
【請求項２】
前記送信ユニットは、前記携帯電話機からコマンド信号が入力され、このコマンド信号に基づいて着信種類特定情報を出力する情報出力手段と、前記着信種類特定情報を無線送信する送信手段とを有することを特徴とする請求項１に記載の報知装置。
【請求項３】
前記送信ユニットは、前記携帯電話機から着信音の音声信号が入力され、この音声信号に基づいて着信種類特定情報を出力する情報出力手段と、前記着信種類特定情報を無線送信する送信手段とを有することを特徴とする請求項１に記載の報知装置。
【請求項４】
前記受信ユニットは、前記着信種類特定情報を受信する受信手段と、前記着信種類特定情報に基づいて着信種類を判別する受信側判別手段と、着信種類を報知する報知手段を有することを特徴とする請求項１乃至３のいずれかに記載の報知装置。
【請求項５】
前記受信手段は、前記着信種類特定情報の受信動作を間欠的に行い、
前記送信手段は、前記着信種類特定情報を送信する場合、前記受信手段による受信動作の周期より長い時間、前記着信種類特定情報を繰り返し送信することを特徴とする請求項１乃至４のいずれかに記載の報知装置。
【請求項６】
着信種類に応じて着信音を切り換える携帯電話機から放音された着信音を特定する着信音特定情報を出力する情報出力手段と、前記着信音特定情報を無線送信する送信手段とを具備し、前記携帯電話機に装着される送信ユニットと、
前記着信音特定情報を受信する受信手段と、前記着信音特定情報に基づいて着信種類を判別する受信側判別手段と、前記着信種類を報知する報知手段とを具備する受信ユニットと
を備えることを特徴とする報知装置。
【請求項７】
前記情報出力手段は、前記着信音特定情報として、前記着信音の音声信号を出力することを特徴とする請求項６に記載の報知装置。
【請求項８】
前記受信側判別手段は、予め記憶された、着信音と着信種類とを対応づけた情報に基づいて、受信した前記着信音特定情報から着信種類を判別することを特徴とする請求項６又は７に記載の報知装置。
【請求項９】
前記送信手段は、前記着信音特定情報と共に、予め記憶された前記端末電話機を識別する識別情報を送信し、
前記受信手段は、前記着信音特定情報と前記識別情報とを受信し、
前記受信側判別手段は、識別情報に関連づけて、着信音と着信種類とを対応づけた情報を予め記憶し、受信した前記識別情報と一致する識別情報に関連づけられた前記情報がある場合に、前記情報に基づいて、受信した前記着信音特定情報から着信種類を判別することを特徴とする請求項６乃至８のいずれかに記載の報知装置。
【請求項１０】
着信種類に応じて着信音を切り換える携帯電話機から放音された着信音に基づいて着信種類を判別する送信側判別手段と、前記着信種類を特定する着信種類特定情報を無線送信する送信手段とを具備し、前記携帯電話機に装着される送信ユニットと、
前記着信種類特定情報を受信する受信手段と、前記着信種類特定情報に基づいて着信種類を報知する報知手段とを具備する受信ユニットと
を備えることを特徴とする報知装置。
【請求項１１】
前記送信側判別手段は、予め記憶された、着信音と着信種類とを対応づけた情報に基づいて、前記携帯電話機の着信音から着信種類を判別することを特徴とする請求項１０に記載の報知装置。
【請求項１２】
前記送信手段は、前記着信種類特定情報と共に、予め記憶された前記端末電話機を識別する識別情報を送信し、
前記受信手段は、前記着信種類特定情報と前記識別情報とを受信し、
前記報知手段は、受信した前記識別情報と一致する識別情報を予め記憶している場合に、受信した前記着信種類特定情報に基づいて着信種類を報知することを特徴とする請求項１０又は１１に記載の報知装置。
【請求項１３】
前記受信ユニットは、時刻を計時する計時手段と、計時された時刻を表示する表示手段を有する時計として構成されていることを特徴とする請求項１乃至１２のいずれかに記載の報知装置。
【請求項１４】
前記送信ユニットは、ストラップを備え、このストラップは、無線通信用のアンテナとして機能することを特徴とする請求項１乃至１３に記載の報知装置。
【請求項１５】
前記ストラップは、アンテナ長が無線通信対象の信号波長の整数分の一の長さとなるように、その長さが形成されていることを特徴とする請求項１４に記載の報知装置。
【請求項１６】
携帯電話機に装着される送信ユニットと、この送信ユニットから送信された情報を受信する受信ユニットとを備える報知装置の制御方法において、
前記送信ユニットは、携帯電話機から入力された着信の種類を示す情報に基づいて、着信種類特定情報を無線送信し、
前記受信ユニットは、前記着信種類特定情報を受信し、この着信種類特定情報に基づいて着信種類を判別し、着信種類を報知することを特徴とする報知装置の制御方法。
【請求項１７】
携帯電話機に装着される送信ユニットと、この送信ユニットから送信された情報を受信する受信ユニットとを備える報知装置をコンピュータにより制御するための制御プログラムにおいて、
前記送信ユニットに、携帯電話機から入力された着信の種類を示す情報に基づいて、着信種類特定情報を無線送信させることを特徴とする制御プログラム。
【請求項１８】
携帯電話機に装着される送信ユニットと、この送信ユニットから送信された情報を受信する受信ユニットとを備える報知装置をコンピュータにより制御するための制御プログラムにおいて、
前記受信ユニットに、前記送信ユニットから送信された着信種類特定情報を受信させ、この着信種類特定情報に基づいて着信種類を判別させ、着信種類を報知させることを特徴とする制御プログラム。
【請求項１９】
前記請求項１７又は１８のいずれかに記載の制御プログラムを記録したことを特徴とするコンピュータ読み取り可能な記録媒体。
【発明の詳細な説明】
【技術分野】
【０００１】
本発明は、携帯電話機の着信種類を報知する報知装置、その制御方法、制御プログラム及び記録媒体に関する。
【背景技術】
【０００２】
従来より、携帯電話機の着信を報知する着信報知呼出装置が知られている（例えば、特許文献１）。この着信報知呼出装置にあっては、携帯電話機に装着された着信報知信号送信機が、携帯電話機のイヤホン・マイク端子から出力される着信音を検知すると着信報知信号を無線送信し、この着信報知信号を無線受信した着信報知信号受信機が、着信を報知するように構成されている。
【特許文献１】特開２０００−２９５３２１号公報
【発明の開示】
【発明が解決しようとする課題】
【０００３】
ところで、近年の携帯電話機は、音声通話の他、メールを送受信する機能を具備し、音声着信かメール受信か否かによって着信音を切り換えることも可能になっている。しかしながら、従来の着信報知呼出装置は、着信音の種類によらず着信音が報知されたことだけを報知するため、着信種類が音声着信なのかメール受信なのかをユーザに報知することができなかった。
本発明は、上述した事情に鑑みてなされたものであり、着信種類を報知することができる報知装置、その制御方法、制御プログラム及びこの制御プログラムが記録された記録媒体を提供することを目的としている。
【課題を解決するための手段】
【０００４】
上記課題を解決するため、本発明は、報知装置において、携帯電話機から入力された着信の種類を示す情報に基づいて、着信種類特定情報を無線送信する送信ユニットと、前記着信種類特定情報を受信し、この着信種類特定情報に基づいて着信種類を判別し、着信種類を報知する受信ユニットとを備えることを特徴とする。この構成によれば、送信ユニットが、着信種類特定情報を無線送信し、受信ユニットが、着信種類特定情報を受信し、この着信種類特定情報に基づいて着信種類を判別して報知するので、着信種類を報知することができる。
また、本発明は、上記構成において、前記送信ユニットは、前記携帯電話機からコマンド信号が入力され、このコマンド信号に基づいて着信種類特定情報を出力する情報出力手段と、前記着信種類特定情報を無線送信する送信手段とを有することを特徴とする。
【０００５】
また、本発明は、上記構成において、前記送信ユニットは、前記携帯電話機から着信音の音声信号が入力され、この音声信号に基づいて着信種類特定情報を出力する情報出力手段と、前記着信種類特定情報を無線送信する送信手段とを有することを特徴とする。
また、本発明は、上記構成において、前記受信ユニットは、前記着信種類特定情報を受信する受信手段と、前記着信種類特定情報に基づいて着信種類を判別する受信側判別手段と、着信種類を報知する報知手段を有することを特徴とする。
さらに、本発明は、上記各構成において、前記受信手段は、前記着信種類特定情報の受信動作を間欠的に行い、前記送信手段は、前記着信種類特定情報を送信する場合、前記受信手段による受信動作の周期より長い時間、前記着信種類特定情報を繰り返し送信することを特徴とする。
【０００６】
また、本発明は、報知装置において、着信種類に応じて着信音を切り換える携帯電話機から放音された着信音を特定する着信音特定情報を出力する情報出力手段と、前記着信音特定情報を無線送信する送信手段とを具備し、前記携帯電話機に装着される送信ユニットと、前記着信音特定情報を受信する受信手段と、前記着信音特定情報に基づいて着信種類を判別する受信側判別手段と、前記着信種類を報知する報知手段とを具備する受信ユニットとを備えることを特徴とする。
この構成によれば、送信ユニットが、携帯電話機から放音された着信音を特定する着信音特定情報を無線送信し、受信ユニットが、着信音特定情報を受信して、この着信音特定情報から着信種類を判別して報知するので、着信種類を報知することができる。
【０００７】
また、本発明は、上記構成において、前記情報出力手段は、前記着信音特定情報として、前記着信音の音声信号を出力することを特徴とする。
また、本発明は、上記構成において、前記受信側判別手段は、予め記憶された、着信音と着信種類とを対応づけた情報に基づいて、受信した前記着信音特定情報から着信種類を判別することを特徴とする。
また、本発明は、上記構成において、前記送信手段は、前記着信音特定情報と共に、予め記憶された前記端末電話機を識別する識別情報を送信し、前記受信手段は、前記着信音特定情報と前記識別情報とを受信し、前記受信側判別手段は、識別情報に関連づけて、着信音と着信種類とを対応づけた情報を予め記憶し、受信した前記識別情報と一致する識別情報に関連づけられた前記情報がある場合に、前記情報に基づいて、受信した前記着信音特定情報から着信種類を判別することを特徴とする。
【０００８】
また、本発明は、報知装置において、着信種類に応じて着信音を切り換える携帯電話機から放音された着信音に基づいて着信種類を判別する送信側判別手段と、前記着信種類を特定する着信種類特定情報を無線送信する送信手段とを具備し、前記携帯電話機に装着される送信ユニットと、前記着信種類特定情報を受信する受信手段と、前記着信種類特定情報に基づいて着信種類を報知する報知手段とを具備する受信ユニットとを備えることを特徴とする。
この構成によれば、送信ユニットが、携帯電話機から放音された着信音から着信種類を判別して着信種類特定情報を無線送信し、受信ユニットが、着信種類特定情報を受信して、この着信種類特定情報に基づいて着信種類を報知するので、着信種類を報知することができる。
【０００９】
また、本発明は、上記構成において、前記送信側判別手段は、予め記憶された、着信音と着信種類とを対応づけた情報に基づいて、前記携帯電話機の着信音から着信種類を判別することを特徴とする。
また、本発明は、上記構成において、前記送信手段は、前記着信種類特定情報と共に、予め記憶された前記端末電話機を識別する識別情報を送信し、前記受信手段は、前記着信種類特定情報と前記識別情報とを受信し、前記報知手段は、受信した前記識別情報と一致する識別情報を予め記憶している場合に、受信した前記着信種類特定情報に基づいて着信種類を報知することを特徴とする。
【００１０】
また、本発明は、上記各構成において、前記受信ユニットは、時刻を計時する計時手段と、計時された時刻を表示する表示手段を有する時計として構成されていることを特徴とする。
また、本発明は、上記各構成において、前記送信ユニットは、ストラップを備え、このストラップを無線通信用のアンテナとして機能させるようにしてもよい。この場合、ストラップを、アンテナ長が無線通信対象の信号波長の整数分の一の長さとなるように、その長さを形成することが好ましい。
【００１１】
また、本発明は、携帯電話機に装着される送信ユニットと、この送信ユニットから送信された情報を受信する受信ユニットとを備える報知装置の制御方法において、前記送信ユニットは、携帯電話機から入力された着信の種類を示す情報に基づいて、着信種類特定情報を無線送信し、前記受信ユニットは、前記着信種類特定情報を受信し、この着信種類特定情報に基づいて着信種類を判別し、着信種類を報知することを特徴とする。
また、本発明は、携帯電話機に装着される送信ユニットと、この送信ユニットから送信された情報を受信する受信ユニットとを備える報知装置をコンピュータにより制御するための制御プログラムにおいて、前記送信ユニットに、携帯電話機から入力された着信の種類を示す情報に基づいて、着信種類特定情報を無線送信させることを特徴とする。
【００１２】
また、本発明は、以上説明した報知装置及びその制御方法に適用する他、この発明を実施するための制御プログラムを電気通信回線を介して一般ユーザに配布したり、そのようなプログラムを、ＣＤ−ＲＯＭや、フロッピー（登録商標）ディスクや光記録ディスクといった、コンピュータに読み取り可能な記録媒体に格納して一般ユーザに配布する、といった態様でも実施され得る。
【発明の効果】
【００１３】
本発明は、携帯電話機から入力された着信の種類を示す情報に基づいて、着信種類特定情報を無線送信する送信ユニットと、この着信種類特定情報を受信して着信種類特定情報に基づいて着信種類を判別し、着信種類を報知する受信ユニットとを具備するので、受信ユニットを携帯するユーザに、携帯電話機の着信種類を報知することができる。
【発明を実施するための最良の形態】
【００１４】
以下、図面を参照して本発明の実施形態について説明する。
＜第１実施形態＞
図１は、第１実施形態に係る着信種類報知装置１０の概要を示す図である。この着信種類報知装置１０は、着信種類（音声着信、メール受信）に応じて着信音を切り換える機能を有する携帯電話機１００に装着される送信ユニット２０と、受信ユニット３０とから構成されている。
【００１５】
この着信種類報知装置１０において、送信ユニット２０は、携帯電話機１００から放音された着信音を特定する着信音特定情報（着信種類特定情報）を受信ユニット３０に無線送信する機能を具備するものであり、受信ユニット３０は、着信音特定情報を受信し、着信音特定情報に基づき着信種類を判別してユーザに報知するものである。図１に示すように、送信ユニット２０は、小型の略箱形形状に形成され、ジャック２１を具備し、このジャック２１を携帯電話機１００のイヤホン・マイク端子（音声出力端子）１０１に挿入することにより携帯電話機１００に装着される。
【００１６】
図２は、受信ユニット３０の正面図である。図２に示すように、受信ユニット３０は、本体ケース３１と、ユーザの身体（腕）に装着するためのバンド３２とを備え、本体ケース３１には、各種情報を表示する表示部３３と、複数の操作子３４と、様々な音を報音するためのスピーカ３５とが設けられる。また、この本体ケース３１には、重錘が回転軸に偏心負荷されたモータ３６が内蔵され、このモータ３６を回転駆動して受信ユニット３０を振動可能に構成されている。なお、本実施形態では、この受信ユニット３０が時刻を計時して表示する機能を具備することで、腕時計としても使用可能に構成されている。
【００１７】
図３は、送信ユニット２０の機能構成を示すブロック図である。送信ユニット２０において、着信検知部２２は、ジャック２１を介して着信音の音声信号を入力し、この入力レベルを予め定めた閾値レベルと比較することによって着信を検知する。また、この着信検知部２２は、入力した音声信号を内蔵アンプにより増幅して情報処理部２３に出力する。
【００１８】
情報処理部（着信音特定情報出力手段）２３は、放音された着信音を特定する着信音特定情報Ｘ１を出力するものであり、ＣＰＵ（Central Processing Unit）や論理演算回路などから構成され、記憶部２４には、情報処理部２３により実行される各種制御プログラムやデータの他、携帯電話機１００を識別する識別コード（識別情報）Ｘ２などが記憶されている。なお、この情報処理部２３は、送信ユニット２０全体を制御するコンピュータとしても機能する。本実施形態では、この情報処理部２３は、発振器２５からの周波数信号を、着信検知部２２から入力した音声信号で変調し、変調信号を無線通信部２６により無線送信させる。すなわち、情報処理部２３は、着信検知部２２から入力した音声信号を着信音特定情報Ｘ１として無線送信する。また、この情報処理部２３は、記憶部１１に記憶された識別コードＸ２を読み出し、着信音特定情報Ｘ１の送信前に無線送信させ、或いは、識別コードＸ２と着信音特定情報Ｘ１とを重畳した無線信号を無線送信させる。これにより、この送信ユニット２０からは、着信音特定情報Ｘ１と、識別コードＸ２とが無線送信される。
【００１９】
ここで、無線通信部（送信手段）２６は、アンテナ２７を介して着信音特定情報Ｘ１及び識別コードＸ２を無線送信するものであり、例えば、Bluetooth（登録商標）、無線ＬＡＮ（Local Area Network）などの双方向無線通信、若しくは、一方向通信（送信のみ）を行う構成が採用される。
【００２０】
図４は、受信ユニット３０の機能構成を示すブロック図である。受信ユニット３０において、無線通信部（受信手段）４０は、アンテナ４１を介して着信音特定情報Ｘ１及び識別コードＸ２の信号を無線受信するものであり、例えば、Bluetooth、無線ＬＡＮなどの双方向通信、若しくは、一方向通信（受信のみ）を行う構成が採用される。識別コード認識部４２は、無線通信部４０により受信した識別コードＸ２が正当か否かを認識するものであり、具体的には、制御部５０の制御の下、受信した識別コードＸ２が、記憶部５１に記憶された識別コードと一致するか否かを判定し、一致する場合のみ受信した着信音特定情報Ｘ２の信号をダウンコンバート４３に出力する。ここで、本実施形態では、複数の識別コードが記憶部５１に記憶される場合がある。この場合、識別コード認識部４２は、受信した識別コードＸ２と一致する識別コードが記憶部５１に存在するか否かを判定し、存在した場合に着信音特定情報Ｘ２の信号をダウンコンバート４３に出力する。
【００２１】
ダウンコンバート４３は、識別コード認識部４２から入力された信号をダウンコンバートして復調部４４に出力し、復調部４４は、ダウンコンバートされた信号から着信音特定情報Ｘ２を復調して制御部５０に出力する。制御部（受信側判別手段）５０は、この受信ユニット３０全体を制御するコンピュータとして機能するものであり、ＣＰＵ（Central Processing Unit）などから構成される。記憶部５１には、制御部５０が実行する各種制御プログラムや、識別コード及び複数種類の着信音と着信種類とを対応づけたテーブルＴなどのデータが記憶されている。
【００２２】
ここで、図５〜図７は、このテーブルＴの一例を示す図である。ここで、図５は、記憶部５１に記憶される識別コードが一つで、携帯電話機１００のメール受信時の着信音が着信パターンＡで、音声着信時の着信音が着信パターンＢの場合のテーブルＴを示す図である。また、図６は、記憶部５１に記憶される識別コードが一つで、携帯電話機１００のメール受信時の着信音が着信パターンＡと着信パターンＣで、音声着信時の着信音が着信パターンＢと着信パターンＤの場合のテーブルＴを示す図である。この図６のテーブルＴは、例えば、携帯電話機１００がメールの受信アドレスに応じて着信音を切り換えたり、音声着信時の相手先の電話番号に応じて着信音を切り換える設定の場合に適用されるテーブルである。
【００２３】
また、図７は、記憶部５１に記憶される識別コード（識別コードＣ１、Ｃ２とする）が二つで、一方の識別コードＣ１に対応する携帯電話機１００のメール受信時の着信音が着信パターンＡで、音声着信時の着信音が着信パターンＢであり、他方の識別コードＣ２に対応する携帯電話機１００のメール受信時の着信音が着信パターンＣで、音声着信時の着信音が着信パターンＤの場合のテーブルである。図６のテーブルＴは、例えば、ユーザが２台の携帯電話機１００を所持する場合に設定されるテーブルである。
【００２４】
また、この受信ユニット３０において、計時部（計時手段）５２は、時刻を計時するものであり、発振回路、クロックカウンタ及びレジスタなどから構成される。また、表示部（表示手段）３３は、制御部５０の制御の下、計時部５２で計時される時刻や各種情報を表示するものであり、例えば、液晶表示パネルや液晶駆動回路から構成される。
【００２５】
報知部（報知手段）５５は、制御部５０の制御の下、音声着信或いはメール着信があったことをユーザに報知するものであり、制御部５０の着信報知指示に応じて振動制御及び報音制御を行う報知制御部５６と、報知制御部５６の制御によりモータ３６を駆動する駆動ドライバ５７と、報知制御部５６の制御によりスピーカ３５を駆動して所定音（ブザー音、メロディー音）を報音させる報音ドライバ５８とから概略構成される。なお、音声着信又はメール受信の場合の報知を、振動で報知するか、音で報知するか、或いは振動と音で報知するかは、ユーザが予め設定することができ、報知制御部６５は、このユーザ設定に基づいて振動制御又は報音制御を行うようになっている。
【００２６】
次に、この着信種類報知装置１０の動作について説明する。まず、この着信種類報知装置１０を着信報知に使用するには、事前に、着信報知対象の携帯電話機１００の識別コードＸ２と、着信音と着信種類との関係を予め登録しておく必要があり、以下、この登録時の動作の概略を説明する。
【００２７】
まず、この着信種類報知装置１０を所定操作して動作モードを時刻表示モードから登録モードに変更する。なお、この動作モードの変更操作及び以下に述べる各種操作は、受信ユニット３０の操作子３４の操作及び送信ユニット２０に設けられた操作子（不図示）の操作を意味する。識別コードＸ２の入力は、例えば、以下のようにして行われる。送信ユニット２０において、携帯電話機１００の数字ボタンを押下操作した際のプッシュボタン信号（DTMF（Dial Tone Multi Frequency）信号）の信号音をジャック２１を介して入力し、情報処理部２３が既知の手法でこの操作音から数字を順次特定していくことで、所定の数字列を識別コードＸ２として記憶部２４に記憶すると共に、識別コードＸ２を無線通信部２６により無線送信する。
そして、受信ユニット３０は、受信した識別コードＸ２を記憶部５１に記憶する。なお、この識別データには、例えば、携帯電話機１００の電話番号の数字列が適用される。このように携帯電話機１００に設けられる数字ボタンを利用して識別コードを入力することにより、識別コードを簡易に入力でき、かつ、識別コード入力用の操作子が着信種類報知装置１０に不要なため、送信ユニット２０及び受信ユニット３０の小型化が容易となる。
【００２８】
また、この携帯電話機１００の着信音と着信種類との関係は、例えば、以下のようにして登録される。簡単に説明すると、携帯電話機１００からメール着信音（又は音声着信音）を報音させ、送信ユニット２０は、このメール着信音（又は音声着信音）の音声信号をジャック２１を介して入力し、無線通信部２６により音声信号を無線送信する。受信ユニット３０においては、事前にメール着信音（又は音声着信音）の入力待機状態に設定され、メール着信音（又は音声着信音）の音声信号を無線受信すると、この音声信号の一部、若しくは波形パターン又は周波数パターンをメール着信時（又は音声着信時）の着信パターンとしてテーブルＴに記述する。このようにして、着信報知対象の携帯電話機１００の識別コードと、着信音と着信種類との関係が登録される。これにより、着信種類報知装置１０を、携帯電話機１００側で任意に設定されるメール着信音及び音声着信音に対応させることができる。
【００２９】
続いて、着信種類報知装置１０の携帯着信時の動作について説明する。ここで、図８は、この場合の送信ユニット２０と受信ユニット３０のシーケンスを説明するための図である。なお、着信種類報知装置１０においては動作モードが着信報知モードに設定されているのが前提である。
【００３０】
携帯電話機１００から音声着信音又はメール着信音が報音されると、送信ユニット２０には、ジャック２１を介して着信音の音声信号が入力され、着信検知部２２が着信を検知する（ステップＳ１）。なお、携帯電話機１００は、通常は、着信音が内蔵スピーカから出力されるが、イヤホン端子に送信ユニット２０のジャック２１が挿入されている際には内蔵スピーカから出力されず、外部に音が報音されることがない。着信が検知されると、送信ユニット２０の情報処理部２３は、無線通信部２６により記憶部２４に記憶された識別コードＸ２を無線送信すると共に、検知された着信音の音声信号を着信音特定情報Ｘ１として無線送信する（ステップＳ２）。ここで、この識別コードＸ２と着信音特定情報Ｘ１とは、一回だけ送信してもよいが、所定時間繰り返し送信して、受信ユニット３０が確実に受信できるようにすることが好ましい。
【００３１】
受信ユニット３０においては、無線通信部４０により識別コードＸ２と着信音特定情報Ｘ１とを受信すると、識別コード認識部４２が、受信した識別コードＸ２と一致する識別コードが記憶部５１に記憶されているか否か、言い換えれば、受信した識別コードＸ２に関連づけられたテーブルＴがあるか否かを判別する（ステップＳ３）。そして、受信した識別コードＸ２と一致する識別コードが記憶部５１に記憶されている場合、識別コード認識部４２は、受信した着信音特定情報Ｘ２を復調部４４を介して制御部５０に出力し、制御部５０は、識別コードＸ２に関連づけられているテーブルＴに基づいて、受信した着信音特定情報Ｘ１から着信種類を判別する（ステップＳ４）。具体的には、制御部５０は、着信音特定情報Ｘ１から着信パターン（波形パターン、周波数分布又は音声信号の一部）を取得し、テーブルＴを参照することにより、この着信パターンから着信種類を特定する。
【００３２】
着信種類を特定すると、制御部５０は、報知制御部５６により着信種類に応じた報知制御（振動制御、報音制御）を行わせる（ステップＳ５）。具体的には、制御部５０は、着信種類に応じて異なる振動制御及び放音制御を行う共に、表示部５３に着信種類に応じた画像情報（音声着信・メール受信である旨のメッセージやアイコン）を表示させる。これにより、ユーザに着信種類を報知することができる。
【００３３】
そして、受信ユニット３０は、着信種類を報知すると、受信待ちの状態（受信待ち状態）に移行し（ステップＳ６）、送信ユニット２０は、送信ユニット２０は、識別コードＸ２と着信音特定情報Ｘ１とを送信した後に、着信待ちの状態（着信待機状態）に移行する（ステップＳ７）。これにより、この着信種類報知装置１０は、携帯電話機１００から音声着信音又はメール受信音が報音される毎に、上記ステップＳ１〜Ｓ５の処理を実行し、ユーザにそれぞれの着信種類を報知することができる。
【００３４】
以上説明したように、本実施形態の着信種類報知装置１０によれば、送信ユニット２０が携帯電話機１００から放音された着信音を特定する着信音特定情報Ｘ１を無線送信し、受信ユニット３０が、この着信音特定情報Ｘ１を受信して着信種類を報知するので、ユーザに着信種類を報知することができる。このため、この受信ユニット３０を携帯するユーザは、携帯電話機１００を鞄などにしまった状態でも着信種類を知ることができる。また、着信音特定情報Ｘ１として着信音の音声信号そのものを採用したため、着信音特定情報Ｘ１を送信する送信ユニット２０の構成を簡略化でき、送信ユニット２０の小型化が容易となる。
また、この着信種類報知装置１０は、送信ユニット２０に記憶された識別コードＸ２と、受信ユニット３０に記憶された識別コードとが一致する場合にだけ着信種類を報知するので、他の携帯電話機１００の着信種類を報知する着信種類報知装置１０が近くに存在しても、他の携帯電話機１００の着信種類を誤報知してしまう場合を確実に回避することができる。
【００３５】
＜第２実施形態＞
第２実施形態に係る着信種類報知装置１０Ａは、図９に示すように、送信ユニット２０Ａを、携帯電話機１００のデジタル信号入出力端子１０２に接続し、このデジタル信号入出力端子１０２から出力されるコマンド信号に基づいて着信種類を特定する情報を無線送信するようにした点が、第１実施形態に係る着信種類報知装置１０と異なる。以下、重複する説明を排除するため、同一の部分は同一の符号を示し、異なる部分についてのみ説明する。
【００３６】
この送信ユニット２０Ａには、図９に示すように、ストラップ２００が設けられ、使用者はこのストラップ２００を首に掛けたり手に持つことで、送信ユニット２０Ａ単体、或いは送信ユニット２０が装着された携帯電話機１００を容易に持ち運ぶことが可能になっている。
このストラップ２００は、アンテナ材からなる線材２０１と、この線材２０１を覆う電波透過性を有する被膜材２０２とから構成され、被膜材２０２は送信ユニット２０Ａのケースに挿通されて固定される一方、線材２０１の端部は送信ユニット２０内の無線通信部２６に接続され、この線材２０１が無線通信部２６のアンテナ２７として機能するようになっている。
なお、この線材２０１をストラップ２００の表面に設けるようにしてもよく、また、線材２０１と無線通信部２６との接続をコネクタ接続することによって、線材２０１と無線通信部２６とを容易に着脱自在に構成し、ストラップ２００を容易に交換できるようにしてもよい。
【００３７】
上記線材２０１は、アンテナ利得を向上させるため、無線通信対象の信号波長の整数分の一の長さにされている。具体的には、無線通信媒体として周波数３１５ＭＨｚの微弱無線を用いた場合、電磁波の速度ｖを３００×１０6とすると、波長λ（＝ｖ／ｆ）は０．９５２３［ｍ］となり、上記アンテナ材の長さはλ／４の約２４［ｃｍ］とされる。すなわち、このストラップ２００についても、約２４［ｃｍ］の長さとされ、首掛用のストラップ（いわゆるネックストラップ）に好適な長さとなっている。
このように、ストラップ２００を送信ユニット２０のアンテナ２７に兼用することにより、アンテナ２７を送信ユニット２０Ａに内蔵させる必要がなく、送信ユニット２０Ａを小型化することができる。
なお、受信ユニット３０に、上記ストラップ２００と同様のストラップを設け、このストラップを受信ユニット３０の無線通信部４０のアンテナ４１に兼用するようにしてもよい。
【００３８】
図１０（ａ）に示すように、送信ユニット２０Ａは、デジタル信号入出力端子１０２に接続可能な接続端子２１Ａを備え、この接続端子２１Ａを介して携帯電話機１００からコマンド信号が入力される。また、送信ユニット２０Ａが、上記接続端子２１Ａだけでなく、図１０（ｂ）に示すように、携帯電話機１００のイヤホン・マイク端子１０１に挿入可能なジャック２１を更に具備し、このジャック２１を介して着信音の音声信号を入力した場合に、第１実施形態と同様に、着信音に基づいて着信種類を特定する情報を無線送信する機能を具備するようにしてもよい。
この送信ユニット２０Ａの機能構成は、着信検知部２２に上記接続端子２１Ａが接続され、この着信検知部２２が接続端子２１Ａを介して入力されたコマンド信号を判別可能な点を除いて、第１実施形態に係る送信ユニット２０と略同様であり、また、受信ユニット３０の機能構成についても、第１実施形態に係る受信ユニット３０と略同様であるため、詳細な説明は省略する。
【００３９】
次に、着信種類報知装置１０Ａの携帯着信時の動作について説明する。図１１は送信ユニット２０Ａの動作を示すフローチャートであり、図１２は受信ユニット３０の動作を示すフローチャートである。ここでは、携帯電話機１００が、音声着信の場合に、１６進表記で「Ｅ０」となるビット列のコマンド信号の後にダイヤル番号等の信号を出力し、メール等の着信の場合、１６進表記で「Ｆ２０００３」となるビット列のコマンド信号を連続出力する場合を例に説明する。
送信ユニット２０Ａにおいて、着信検知部２０が携帯電話機１００からコマンド信号が入力されると（ステップＳ２１）、情報処理部２３は、そのコマンド信号の先頭８ビットの信号が、１６進表記で「Ｅ０」及び「Ｆ２」のいずれかに該当するか否かを判定する（ステップＳ２２）。
【００４０】
このステップＳ２２の判定において、情報処理部２３は、「Ｅ０」及び「Ｆ２」のいずれにも該当しない場合（ステップＳ２２：YES）、ステップＳ２０に処理を移行し、「Ｅ０」又は「Ｆ２」に該当する場合（ステップＳ２２：NO）、「Ｅ０」か否かを判定する（ステップＳ２３）。そして、「Ｅ０」の場合（ステップＳ２３：YES）、情報処理部２３は、図１３（ａ）に示すように、１６進表記で「５５」となるビット列の信号を、無線通信部２６により５秒間連続して無線送信する（ステップＳ２４）。
【００４１】
一方、「Ｆ２」の場合（ステップＳ２３：NO）、情報処理部２３は、着信検知部２０により以降のコマンド信号を複数回（例えば２回）受信し、それらが「Ｆ２０００３」に該当するか否かを判定する（ステップＳ２５）。そして、情報処理部２３は、［Ｆ２０００３」に該当しない場合（ステップＳ２５：NO）、ステップＳ２０の処理に移行し、「Ｆ２０００３」に該当する場合（ステップＳ２５：YES）、図１３（ｂ）に示すように、１６進表記で「Ｆ０」となるビット列の信号を、無線通信部２６により５秒間連続して出力する（ステップＳ２６）。以上が送信ユニット２０Ａの動作である。
【００４２】
受信ユニット３０においては、図１４（ａ）に示すように、無線通信部４０が、制御部５０の制御の下、１秒周期で５［ｍｓｅｃ］だけ受信動作する。この間欠受信の周期に比して、送信ユニット２０Ａの送信時間（５秒）が長いため、受信ユニット３０が、送信ユニット２０Ａから送信された無線信号を確実に受信できるようになっている。
より具体的には、制御部５０は、図１４（ｂ）に示すように、受信した信号の立ち下がりを検出すると、無線通信部４０による受信動作期間を所定期間（例えば１５［ｍｓｅｃ］）延長し、送信ユニット２０Ａから送信された無線信号（１６進表記で「５５」又は［Ｆ０］となるビット列の信号）を受信する。
【００４３】
図１２に示すように、制御部５０は、無線信号を受信すると（ステップＳ３１）、その信号が、１６進表記で「５５」となるビット列の信号か否かを判定し（ステップＳ３２）、「５５」となるビット列の信号の場合（ステップＳ３２：YES）、音声着信があったことを報知すべく、報知制御部５６により音声着信があったことを報知させる（ステップＳ３３）。この場合、報知制御部５６は、例えば、駆動ドライバ５７により、図１５（ａ）に示す駆動信号Ｓ１ａをモータ３６に供給し、モータ３６を１秒毎にＯＮ／ＯＦＦさせる。これにより、受信ユニット３０が１秒毎に振動を繰り返し、受信ユニット３０を携帯するユーザに音声着信があったことを報知する。
【００４４】
一方、受信した信号が「５５」となるビット列の信号でない場合（ステップＳ３２：NO）、制御部５０は、１６進表記で［Ｆ０］となるビット列の信号か否かを判定し（ステップＳ３４）、「Ｆ０」となるビット列の信号の場合（ステップＳ３４：YES）、メール着信があったことを報知すべく、報知制御部５６によりメール着信があったことを報知させる（ステップＳ３５）。この場合、例えば、報知制御部５６は、例えば、駆動ドライバ５７により、図１５（ｂ）に示す駆動信号Ｓ１ｂをモータ３６に供給し、モータ３６を０．５秒毎にＯＮ／ＯＦＦさせる。これにより、受信ユニット３０が０．５秒毎に振動を繰り返し、受信ユニット３０を携帯するユーザにメール着信があったことを報知する。
一方、受信した信号が「Ｆ０」となるビット列の信号でない場合（ステップＳ３４：NO）、制御部５０は処理をステップＳ３１の処理に移行し、無線信号を受信するまで間欠受信動作を行う。
【００４５】
以上説明したように、本実施形態の着信種類報知装置１０Ａによれば、送信ユニット２０Ａが、携帯電話機１００から入力されたコマンド信号に基づいて着信種類を特定する情報（「５５」、［Ｆ０］の信号）を無線送信し、受信ユニット３０が、この情報を受信して着信種類を報知するので、ユーザは、携帯電話機１００を鞄等から取り出さなくても、着信種類を迅速かつ容易に知ることができる。
【００４６】
上述した実施形態は、あくまでも本発明の一態様を示すものであり、本発明の範囲内で任意に変形が可能である。例えば、上述の第１実施形態においては、着信音に基づいて着信種類の判別を受信ユニット３０側で行う場合について述べたが、送信ユニット２０側で着信種類の判別を行うようにしてもよい。この場合、複数種類の着信音と着信種類とを対応づけたテーブルＴと、着信種類を判別するための制御プログラムは、受信ユニット３０ではなく、送信ユニット２０の記憶部２４に記憶される。
【００４７】
ここで、図１６は、この場合のシーケンスを示す図である。なお、上述の実施形態と同様の処理については同様の符号を付して詳細な説明は省略する。このシーケンスについて簡単に説明すると、送信ユニット２０は、携帯電話機１００の着信を検知すると（ステップＳ１）、予め記憶されたテーブルＴに基づいて着信音から着信種類を判別する（ステップＳ１０）。具体的には、情報処理部（送信側判別手段）２３が、記憶部２４に記憶されたテーブルＴを参照することにより、着信音から着信種類を特定する。そして、情報処理部２３は、特定した着信種類を示す着信種類特定情報Ｘ３を、無線通信部２６により無線送信させる（ステップＳ１１）。すなわち、この変形例では、情報処理部２３が、携帯電話機１００から放音された着信音から着信種類を判別する送信側判別手段として機能する。
【００４８】
この送信の際、情報処理部２３は、記憶部２４に記憶された識別コードＸ２も無線送信させ、これにより、着信種類特定情報Ｘ３と識別コードＸ２とが無線送信される。受信ユニット３０は、識別コードＸ２と着信種類特定情報Ｘ３とを受信すると、受信した識別コードＸ２と一致する識別コードが記憶部５１に記憶されているか否かを判別し（ステップＳ３）、一致する場合は、受信した着信種類特定情報Ｘ３の内容、つまり、着信種類を報知する（ステップＳ１２）。一方、一致しない場合は、着信種類を報知することなく、受信待ち状態に移行する（ステップＳ６）。
【００４９】
この結果、受信ユニット３０側で着信種類を判別する処理が不要となり、受信ユニット３０側の処理負担を軽減することができる。また、受信ユニット３０の記憶部５１の記憶容量が小さくてすむことから、受信ユニット３０の小型化が容易となる。これにより、受信ユニット３０を小型かつ薄型の携帯性に優れた形状にすることが容易となる。
【００５０】
また、上述の第２実施形態においては、送信ユニット２０Ａが、携帯電話機１００から入力されたコマンド信号に応じて、１６進表記で「５５」となるビット列の信号、又は、１６進表記で「Ｆ０」となるビット列の信号を無線送信する場合について例示したが、送信ユニット２０Ａが、携帯電話機１００から入力されたコマンド信号を無線送信するようにしてもよい。この場合、受信ユニット３０側で、コマンド信号を受信し、このコマンド信号に基づいて着信種類を判別し、着信種類を報知するように構成すればよい。
【００５１】
また、上述の各実施形態では、受信ユニット３０を腕時計型に構成する場合を例示したが、小型のブローチ、ペンダント、眼鏡などのアクセサリとして構成してもよく、また、カード型にしてもよい。また、着信種類を報知する手段として、表示部５３及び報知部５５を用いる場合について述べたが、少なくともいずれかを用いればよく、表示部５３、モータ３６及び駆動ドライバ５７、又は、スピーカ３５及び報音ドライバ５８のいずれかを省略してもよいことは勿論である。さらに、図１７に示すように、受信ユニット３０の、電話着信報知用のＬＥＤ５９ａと、メール着信報知用のＬＥＤ５９ｂとを各々設け、これらを点灯させることによって、電話着信又はメール着信があったことを報知するようにしてもよい。
【００５２】
また、上述の実施形態において、受信ユニット３０の制御部５０が記憶部５１に記憶された制御プログラムを実行することによって、受信した識別コードＸ２と一致する識別コードが記憶部５１に記憶されているか否かを判定してもよい。この構成によれば、受信ユニット３０の識別コード認識部４２を省略することができる。また、上述の実施形態においては、送信ユニット２０の識別コードＸ２と、受信ユニット３０の識別コードとが一致する場合に、着信種類の報知を行う場合について述べたが、この識別コードの一致判定処理を省略してもよい。これにより、送信ユニット２０及び受信ユニット３０の処理負担を軽減することができ、各ユニットをより小型化することが可能となる。
【００５３】
また、上述の各実施形態では、無線電波で情報を送受信する場合について述べたが、これに限定されるものではなく、超音波や電磁誘導、赤外線通信などを使った他の無線通信方式を採用してもよく、さらに、これら無線通信方式を組み合わせた通信方式を採用してもよい。
【００５４】
また、上述の実施形態では、送信ユニット２０、２０Ａ及び受信ユニット３０を制御するための制御プログラムを各ユニットの記憶部２４及び５１に予め記憶させておく場合について説明したが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００５５】
【図１】第１実施形態に係る着信種類報知装置の概要を示す図である。
【図２】着信種類報知装置の受信ユニットの正面図である。
【図３】着信種類報知装置の送信ユニットの機能構成を示すブロック図である。
【図４】受信ユニットの機能構成を示すブロック図である。
【図５】着信音と着信種類を対応づけたテーブルの一例を示す図である。
【図６】着信音と着信種類を対応づけたテーブルの一例を示す図である。
【図７】着信音と着信種類を対応づけたテーブルの一例を示す図である。
【図８】着信種類報知装置の動作の説明に供する図である。
【図９】第２実施形態に係る着信種類報知装置の概要を示す図である。
【図１０】（ａ）及び（ｂ）は、送信ユニットの構成例を示す図である。
【図１１】送信ユニットの動作を示すフローチャートである。
【図１２】受信ユニットの動作を示すフローチャートである。
【図１３】（ａ）及び（ｂ）は送信ユニットが送信する情報を示す図である。
【図１４】（ａ）及び（ｂ）は受信ユニットの受信動作の説明に供する図である。
【図１５】（ａ）は音声着信報知時の駆動信号の一例を示す図であり、（Ｂ）はメール受信報知時の駆動信号の一例を示す図である。
【図１６】変形例に係る着信種類報知装置の動作の説明に供する図である。
【図１７】変形例の説明に供する図である。
【符号の説明】
【００５６】
１０…着信種類報知装置（報知装置）、１１、５１…記憶部、２０、２０Ａ…送信ユニット、３０…受信ユニット、２３…情報処理部、５０…制御部、５５…報知部、１００…携帯電話機、２００…ストラップ。
【図１】
2005223889.tif 000003
【図２】
2005223889.tif 000004
【図３】
2005223889.tif 000005
【図４】
2005223889.tif 000006
【図５】
2005223889.tif 000007
【図６】
2005223889.tif 000008
【図７】
2005223889.tif 000009
【図８】
2005223889.tif 000010
【図９】
2005223889.tif 000011
【図１０】
2005223889.tif 000012
【図１１】
2005223889.tif 000013
【図１２】
2005223889.tif 000014
【図１３】
2005223889.tif 000015
【図１４】
2005223889.tif 000016
【図１５】
2005223889.tif 000017
【図１６】
2005223889.tif 000018
【図１７】
2005223889.tif 000019